(57)【要約】【課題】手すり棒の必要長さを容易かつ正確に測定することが可能な手すりブラケットを提供する。【解決手段】手すりブラケット１は、壁面に固定される台座１０と、アーム２０と、手すりが挿入される挿入孔３６が形成された受け部３０とを備えている。受け部３０の挿入孔３６内には、手すり棒５が所定長さ以上挿入孔３６内に挿入されない様に規制するストッパが形成されている。ストッパは、受け部３０の内面から受け部３０の中心軸に向かって突出する突出片３７ａを備えている。受け部３０の外面には、ストッパの位置を示す目印が設けられている。目印は、受け部３０の周方向に線状に延びる溝３８により構成されている。【選択図】図２
2008202341.tif 000002
【特許請求の範囲】
【請求項１】
壁面に手すり棒を取り付けるための手すりブラケットであって、
前記手すり棒の端部が挿入される挿入孔を有し、前記手すり棒の端部を保持する受け部を備え、
前記受け部の前記挿入孔内には、前記手すり棒が所定長さ以上前記挿入孔内に挿入されない様に規制するストッパが形成されており、
前記受け部の外面には、前記ストッパの位置を示す目印が設けられている、手すりブラケット。
【請求項２】
請求項１に記載の手すりブラケットにおいて、
前記目印は、前記受け部の周方向に線状に延びている、手すりブラケット。
【請求項３】
請求項１または２に記載の手すりブラケットにおいて、
前記目印は、前記受け部の外面に形成された溝である、手すりブラケット。
【発明の詳細な説明】
【技術分野】
【０００１】
本発明は、廊下や階段等の壁面に手すり棒を設置するために用いられる手すりブラケットに関する。
【背景技術】
【０００２】
従来から、廊下や階段等の壁面に手すり棒を設置する際に、手すりブラケットが用いられている（例えば、特許文献１参照）。手すりブラケットは、手すり棒を支持するものであり、ねじ等の締結具を介して壁面に固定される。
【０００３】
下記特許文献１には、図８に示すような手すりブラケットが開示されている。この手すりブラケット５０は、手すり棒５１の端部を保持する受け部５２を備えており、当該受け部５２には手すり棒５１が挿入される挿入孔５３が形成されている。また、当該挿入孔５３内には、手すり棒５１の挿入長さを所定の長さに規制するためのストッパ５４が設けられている。
【０００４】
ところで、手すりブラケット５０は手すり棒５１を支持するものである。そのため、人が手すり棒５１にもたれ掛かる等の際に、手すりブラケット５０には大きな荷重がかかる。そこで、通常、手すりブラケット５０は、壁内に配された間柱６０に固定されることが多い。そのため、手すりブラケット５０の設置間隔は、取り付ける壁内の間柱６０の間隔によって異なり、これにより、壁面に設置される手すり棒５１の長さも、間柱６０の間隔に応じて異なる。そこで、手すり棒５１を取り付ける際、まず、取り付け現場において、手すりブラケット５０を仮固定する。そして、手すり棒５１の必要長さを実測した上で、その場で手すり棒５１を必要長さに切断することとしている。
【特許文献１】特開２００３−３０７００５号公報
【発明の開示】
【発明が解決しようとする課題】
【０００５】
上記手すりブラケット５０では、手すり棒５１の必要長さを測定する際、両手すりブラケット５０のストッパ５４間の距離Ｘを実測することが必要となる。しかし、上記手すりブラケット５０では、ストッパ５４は挿入孔５３内に配置されているため、スケール５５を挿入孔５３内に押し込んで測定しなければならない。そのため、測定作業は困難であり、また、正確に測定することが難しかった。
【０００６】
本発明は、かかる点に鑑みてなされたものであり、その目的とするところは、手すり棒の必要長さを容易かつ正確に測定することが可能な手すりブラケットを提供することにある。
【課題を解決するための手段】
【０００７】
本発明に係る手すりブラケットは、壁面に手すり棒を取り付けるための手すりブラケットであって、前記手すり棒の端部が挿入される挿入孔を有し、前記手すり棒の端部を保持する受け部を備え、前記受け部の前記挿入孔内には、前記手すり棒が所定長さ以上前記挿入孔内に挿入されない様に規制するストッパが形成されており、前記受け部の外面には、前記ストッパの位置を示す目印が設けられているものである。
【０００８】
上記手すりブラケットによれば、受け部の外面にストッパの位置を示す目印が設けられている。そのため、従来の手すりブラケットのように、スケールを挿入孔内に押し込んで測定するのではなく、スケールを両手すりブラケットの外面に押し当てて、当該外面に設けられた両目印間を測定することにより、両ストッパ間の距離を測定することができる。したがって、上記手すりブラケットによれば、手すり棒の必要長さを容易かつ正確に測定することが可能となる。また、このことにより、手すり棒の設置作業の容易化を図ることができ、施工時間の短縮化を図ることができる。
【０００９】
前記目印は、前記受け部の周方向に線状に延びていることが好ましい。
【００１０】
前記手すりブラケットによれば、手すり棒の必要長さをより容易かつ正確に測定することが可能となる。
【００１１】
前記目印は、前記受け部の外面に形成された溝であってもよい。
【００１２】
上記手すりブラケットによれば、新たな部材を付加することなく、受け部に目印を設けることができる。
【発明の効果】
【００１３】
以上のように、本発明によれば、手すり棒の必要長さを容易かつ正確に測定することが可能な手すりブラケットを提供することができる。
【発明を実施するための最良の形態】
【００１４】
図１に示すように、本実施形態に係る手すりブラケット１は、手すり棒５の端部を支持するものである。なお、本明細書では、手すり棒５および手すりブラケット１の全体を、手すりと称する。
【００１５】
図２に示すように、手すりブラケット１は、壁面に固定される台座１０と、手すり棒５の端部を支持する受け部３０と、台座１０と受け部３０とをつなぐアーム２０とを備えている。
【００１６】
台座１０は、台座本体１１とカバー１２とから構成されている。図３は台座本体１１の縦断面図、図４は台座本体１１の裏側の斜視図である。図３に示すように、台座本体１１は、略リング状の座部１１ａと、座部１１ａに立設された筒部１１ｂとを備えている。座部１１ａの裏面は、壁面と接触する接触面１１ｃとなっている。
【００１７】
図４に示すように、座部１１ａには３つのねじ穴が形成されている。具体的には、座部１１ａには、第１ねじ穴１３ａ、第２ねじ穴１３ｂ、および第３ねじ穴１３ｃが形成されている。これらのねじ穴１３ａ〜１３ｃは、それぞれが逆三角形の頂点に位置するように配置されている。すなわち、ねじ穴１３ａ〜１３ｃは、逆三角形状に配置されている。
【００１８】
図３に示すように、筒部１１ｂの内側には、アーム２０（図２参照）の一端部を挿通させる取り付け孔１４が形成されている。取り付け孔１４は、筒部１１ｂの軸方向の途中で横断面の輪郭形状が変化する孔であり、表側の取り付け孔１４ａと裏側の取り付け孔１４ｂとによって形成されている。表側の取り付け孔１４ａと裏側の取り付け孔１４ｂとの間には、段差部１４ｃが形成されている。表側の取り付け孔１４ａの輪郭形状は、角が丸まった略正方形状に形成されている。裏側の取り付け孔１４ｂの輪郭形状は、外側の角が丸まった略正八角形状に形成されている。また、筒部１１ｂには、半径方向に延びるねじ穴１５が設けられている。
【００１９】
図２に示すように、アーム２０は、略Ｌ字状に曲がったアーム本体２１と、アーム本体２１の根元端に設けられたフランジ２２と、アーム本体２１の先端に設けられた突起２３とを備えている。
【００２０】
フランジ２２は、台座１０の筒部１１ｂの取り付け孔１４に挿通自在なように、表側の取り付け孔１４ａ（図３参照）の輪郭形状と同様の輪郭形状を有している。すなわち、フランジ２２は、角が丸まった略正方形状に形成されている。
【００２１】
受け部３０は略円筒状に形成されている。図５は受け部３０の縦断面図、図６は受け部３０の側面図である。図５および図６に示すように、受け部３０の前側には、手すり棒５の一端部を受け入れる受口３１が形成されている。受口３１により、手すり棒５を挿入する挿入孔３６が形成されている。図５に示すように、受口３１の下側には、ねじ穴３２が形成されている。受け部３０の後側には、アーム２０に取り付けられる取り付け部３３が形成されている。取り付け部３３は、下側に形成されたアーム挿入孔３４と、上側に形成されたねじ穴３５とを有している。これらアーム挿入孔３４およびねじ穴３５は、いずれも上下方向に延びており、互いに連続している。
【００２２】
また、図５および図６に示すように、挿入孔３６内には、手すり棒５の一端部が所定長さ（図５のＹ）以上挿入孔３６内に挿入されない様に規制するストッパ３７が形成されている。ストッパ３７は、受け部３０の内面から中心軸に向かって突出した突起片３７ａを備えている。なお、図６に示すように、本実施形態の受け部３０は突起片３７ａを２つ備えたものであるが、突起片３７ａの数はこれに限定されない。例えば、３つ設けられていてもよく、それ以上設けられていてもよい。これら複数の突起片３７ａは、略円筒状の受け部３０の同一円周上に間隔を空けて配置されている。
【００２３】
また、図２および図５に示すように、受け部３０の外面には、受け部３０の軸方向に関し、ストッパ３７を構成する突起片３７ａの位置を示す目印が設けられている。本実施形態では、目印は、周方向に延びる溝３８により構成されている。
【００２４】
以上が手すりブラケット１の構成である。次に、手すりブラケット１の組立方法および手すり棒５の設置方法について説明する。
【００２５】
《手すりブラケット１の組立方法》
まず、台座１０とアーム２０との組立について説明する。台座１０にアーム２０を組み立てる際には、アーム２０のフランジ２２の向きを台座１０の表側取り付け孔１４ａに合わせ、フランジ２２が取り付け孔１４の裏側端を通過するまで、アーム２０を取り付け孔１４に挿入する。次に、アーム２０の先端側の向きが所望の向きになるまで、アーム２０を取り付け孔１４内で回転させる。
【００２６】
その状態でアーム２０を台座１０の裏側から表側に向かって引っ張ると、アーム２０のフランジ２２は裏側取り付け孔１４ｂ内に挿入される。ここで、フランジ２２と裏側取り付け孔１４ｂとは、互いに対応した略正八角形に形成されているので、フランジ２２が裏側取り付け孔１４ｂ内に挿入された状態では、フランジ２２の回転は阻止される。したがって、台座１０に対するアーム２０の回転が防止される。
【００２７】
次に、台座１０に対するアーム２０の突出長さを微調整し、ねじ穴１５に挿入したねじ（図示せず）でアーム２０を固定する。なお、台座１０の筒部１１ｂ内には段差部１４ｃが設けられており、アーム２０を引っ張りすぎてもフランジ２２が段差部１４ｃに当接するので、アーム２０が台座１０から抜けることはない。以上のようにして、台座１０に対してアーム２０が組み立てられる。
【００２８】
次に、アーム２０と受け部３０との組立について説明する。受け部３０の向きを所定の向きにしたうえで、受け部３０のアーム挿入孔３４にアーム２０の先端側を挿入する。受け部３０をアーム２０に嵌め込んだ後は、受け部３０のねじ穴３５からねじ（図示せず）をねじ込む。これにより、受け部３０がアーム２０に固定される。
【００２９】
《手すり棒５の設置方法》
まず、上記方法により組み立てた２つの手すりブラケット１を間柱６０に仮固定する（図１参照）。そして、仮固定した状態で、両手すりブラケット１の受け部３０の外面にスケールを押し当て、両手すりブラケット１の外面に設けられた溝３８の距離Ｘ１を測定する。ここで、溝３８は受け部３０の軸方向に関し、ストッパ３７を構成する突起片３７ａと同じ位置に形成されている（図５参照）。そのため、両手すりブラケット１の溝３８の距離Ｘ１は、両手すりブラケット１のストッパ３７の距離と等しいものとなる。
【００３０】
上記距離Ｘ１を計測した後、手すり棒５を長さＸ１に切断する。そして、仮固定されていた手すりブラケット１を取り外し、手すり棒５の両端部をそれぞれ手すりブラケット１の挿入孔３６内に挿入する。このとき、手すり棒５の端部とストッパ３７の突起片３７ａとが当接するまで手すり棒５を挿入する。そして、当該状態でねじ穴３２からねじ（図示せず）をねじ込む。これにより、手すり棒５が、所定長さ挿入孔３６に挿入された状態で、手すりブラケット１の受け部３０に固定されることとなる。
【００３１】
そして、手すり棒５が受け部３０に固定された状態で、再度、手すりブラケット１を間柱６０に固定する。具体的には、台座本体１１の座部１１ａに形成された３つのねじ穴（第１ねじ穴１３ａ、第２ねじ穴１３ｂ、および第３ねじ穴１３ｃ）からねじ（図示せず）を間柱６０に向けてねじ込む。これにより、手すりブラケット１は間柱６０に固定され、手すり棒５が所定の壁面に設置されることとなる。
【００３２】
以上のように、本実施形態に係る手すりブラケット１は、手すり棒５の端部が挿入される挿入孔３６を有し、手すり棒５の端部を保持する受け部３０を備えている。そして、受け部３０の挿入孔３６内には、手すり棒５が所定長さ（図５のＹ）以上挿入孔３６内に挿入されない様に規制するストッパ３７が形成されている。また、受け部３０の外面には、ストッパ３７の位置を示す目印（本実施形態では溝３８）が設けられている。そのため、本実施形態に係る手すりブラケット１によれば、従来の手すりブラケットのように、スケールを挿入孔３６内に押し込んで測定するのではなく、スケールを両手すりブラケット１の外面に押し当てて、当該外面に設けられた両目印（本実施形態では溝３８）間の距離Ｘ１を測定することにより、両ストッパ３７間の距離を測定することができる。したがって、本手すりブラケット１によれば、手すり棒５の必要長さを容易かつ正確に測定することが可能となる。また、このことにより、手すり棒５の設置作業の容易化を図ることができ、施工時間の短縮化を図ることができる。
【００３３】
本実施形態に係る手すりブラケット１によれば、目印である溝３８は、受け部３０の周方向に線状に延びている。そのため、受け部３０が所定の角度で仮固定されていない場合であっても、両目印（溝３８）間の距離Ｘ１を容易に計測することができる。したがって、本手すりブラケット１によれば、手すり棒５の必要長さをより容易かつ正確に測定することが可能となる。
【００３４】
また、本実施形態に係る手すりブラケット１では、目印は溝３８により形成されている。そのため、本手すりブラケット１によれば、新たな部材を付加することなく、受け部３０に目印を設けることができる。
【００３５】
なお、本発明に係る目印は、溝３８により形成されることに限られない。例えば、周方向に線状に延びる突起または周方向に間隔を空けて配置された複数の突起により形成されていてもよい。また、外面に塗料等を用いて付された線であってもよい。
【００３６】
また、本実施形態に係る目印としての溝３８は、受け部３０を鋳造する際に、同時に形成することにより、簡単に形成することができる。ただし、溝３８の形成方法はこれに限定されず、受け部３０の成型後、別途加工されるものであってもよい。
【００３７】
また、本実施形態に係る手すりブラケット１は、手すり棒５の端部を単に支持するものであったが、本発明に係る手すりブラケットは、これに限定されず、例えば、図７に示すように、２本の手すり棒５ａ，５ｂの一端部をそれぞれ支持すると共に連結する継手用ブラケット１００であってもよい。
【００３８】
また、本実施形態に係る手すりブラケット１では、受け部３０とアーム２０とは別体に形成されていたが、一体形成されていてもよい。また、アーム２０と台座１０とは別体に形成されていたが、一体形成されていてもよい。
【００３９】
本実施形態では、ストッパ３７は、２つの突起片３７ａにより構成されていたが、本発明に係るストッパはこれに限定されない。そのため、例えば、受け部３０の周方向に線状に延びる突起であってもよい。また、ストッパ３７は、受け口３１を閉塞する壁面により構成されていてもよい。その他、手すり棒５が所定長さ以上挿入孔３６内に挿入されない様に規制するものであれば、いかなる形状のものであってもよい。また、受け部３０の形状も本実施形態のものに限定されない。
【００４０】
《本明細書における用語等の定義》
「壁面」は、台座１０の接触面１１ｃと接触する面であり、台座１０の接触面１１ｃの形状に応じて任意の形状を取りうる。本明細書における「壁面」は、必ずしも平滑な面でなくてもよく、接触面１１ｃが曲面の場合には、「壁面」は曲面であってもよい。
【産業上の利用可能性】
【００４１】
以上のように、本発明は、廊下や階段等の壁面に手すり棒を取り付ける手すりブラケットについて有用である。
【図面の簡単な説明】
【００４２】
【図１】実施形態１に係る手すりブラケットを使用した場合の手すりの構成図である。
【図２】実施形態１に係る手すりブラケットの分解斜視図である。
【図３】台座の縦断面図である。
【図４】台座の裏側の斜視図である。
【図５】受け部の縦断面図である。
【図６】受け部の側面図である。
【図７】変形例に係る手すりブラケットの背面図である。
【図８】従来の手すりブラケットを使用した場合の手すりの構成図である。
【符号の説明】
【００４３】
１              手すりブラケット
５              手すり棒
１０            台座
２０            アーム
３０            受け部
３６            挿入孔
３７            ストッパ
３７ａ          突起片（ストッパ）
３８            溝（目印、溝）
６０            間柱
【図１】
2008202341.tif 000003
【図２】
2008202341.tif 000004
【図３】
2008202341.tif 000005
【図４】
2008202341.tif 000006
【図５】
2008202341.tif 000007
【図６】
2008202341.tif 000008
【図７】
2008202341.tif 000009
【図８】
2008202341.tif 000010